(57)【要約】【課題】  電子機器のリモコン受光部等において、安定的に一定範囲の受光範囲を確保すること及び受光素子の受光面に異物等が付着することによる受光感度の低下を防止することを低コストに実現する。【解決手段】  受光センサ４１の受光面４２は、受光部カバー３１の係止腕部３１５により、受光部カバー３１の位置決め凹部３１８の内周面に押圧され、位置決め凹部３１８の内周面に常に内接した状態となる。受光部カバー３１と受光センサ４１の受光面４２との位置関係は、左右方向Ｘ、前後方向Ｙ及び上下方向Ｚにおいて一定の位置関係となる。受光部カバー３１は、カバー本体３１１がロアハウジング３０の受光窓２１に嵌合することによって、その受光窓２１に対して一定の位置で、左右方向Ｘ、前後方向Ｙ及び上下方向Ｚの位置決めされた状態でロアハウジング３０に配設される。【選択図】図８
2009099795.tif 000002
【特許請求の範囲】
【請求項１】
筐体に設けられた受光窓に嵌合するカバー本体と、
前記カバー本体の裏面に形成された位置決め凹部と、
受光素子の受光面を前記位置決め凹部の内周面に押圧する押圧手段と、を備えた受光部カバー。
【請求項２】
請求項１に記載の受光部カバーにおいて、前記受光面は、略球面状の凸面であり、前記位置決め凹部の内周面は、前記受光面が内接可能な円錐面である、ことを特徴とした受光部カバー。
【請求項３】
受光素子と、
前記受光素子の受光窓を有し、前記受光素子を内蔵する筐体と、
請求項１又は２に記載された受光部カバーと、を備えた電子機器。
【請求項４】
被記録材の記録面にインクを噴射して記録を実行する記録実行手段と、
受光素子と、
前記受光素子の受光窓を有し、前記記録実行手段及び前記受光素子を内蔵する筐体と、
請求項１又は２に記載された受光部カバーと、を備えた記録装置。
【発明の詳細な説明】
【技術分野】
【０００１】
本発明は、電子機器のリモコン受光部等に設けられる受光部カバーに関する。
【背景技術】
【０００２】
赤外線通信等の無線通信技術を利用した、いわゆるリモコンによる遠隔操作が可能なテレビやビデオデッキ等の電子機器が公知である。このような電子機器には、リモコンから送信される赤外線等を受光するためのリモコン受光部が設けられている。一般的にリモコン受光部には、電子機器の筐体の前面に受信窓（孔等）が設けられており、受光センサ等の受光素子は、その受光窓に受光面が臨むように、筐体内の受光窓近傍に配設されている。また、リモコン受光部の受光窓には、赤外線等が透過可能な受光部カバーが設けられているのが一般的である（例えば、特許文献１又は２を参照）。
【０００３】
このリモコン受光部の受光素子における受光範囲は、受光窓の大きさ及び受光窓から受光素子の受光面までの距離等により異なってくる。つまり、受光窓を大きくしていくと、受光範囲は広くなっていく。また、受光窓から受光素子の受光面までの距離を短くしていくと、受光範囲は広くなっていく。したがって、可能な限り受光窓を大きくし、可能な限り受光素子を受光窓の近くに配置することで、受光素子における受光範囲を広くすることができる。
【０００４】
しかし、受光窓の大きさや形状等は、電子機器の外観デザインに影響するため、受光窓を充分な受光範囲が得られるまで大きくすることができない場合がある。また、筐体内における受光素子の配置は、他の電子部品や構造部品のレイアウト等の関係で制約がある場合が多く、充分な受光範囲が得られる位置に配置できない場合がある。そのため、電子機器のリモコン受光部において、充分な受光範囲を確保することができない場合があった。
【０００５】
このような課題を解決可能な従来技術の一例としては、前記の受光部カバーをレンズ形状にしたり、受光部カバーと受光素子の受光面との間にレンズ等を設けたりしたものが公知である。このような従来技術によれば、レンズ等による光の屈折を利用することで、より広い受光範囲を得ることが可能になる（例えば、特許文献１又は２を参照）。
【特許文献１】特開２００２−１８５０２３号公報
【特許文献２】特開２００５−２１７３２４号公報
【発明の開示】
【発明が解決しようとする課題】
【０００６】
上記の特許文献１又は特許文献２に記載された従来技術のようにレンズ等を利用すれば、受光窓から離れた位置に受光素子を配置しても一定範囲の受光範囲を確保することは可能になる。しかし、受光窓に対する受光素子の位置が筐体の製造誤差等でばらついてしまうと、その受光範囲もばらついてしまうことになる。そのため、一般的な電子機器のリモコン受光部においては、安定的に一定範囲の受光範囲を確保することが難しいという課題があった。
【０００７】
また、上記の特許文献１又は特許文献２に記載された従来技術においては、受光部カバーと受光素子の受光面との間に隙間が設けられている。そのため、通風孔等を通じて筐体内に入り込んだ埃や異物等、或いはインク等の筐体内の液体が一部気化したもの等が、その受光部カバーと受光素子の受光面との間に進入して受光面に付着し、受光素子の受光感度が低下してしまう虞があった。
【０００８】
本発明は、このような状況に鑑み成されたものであり、その課題は、電子機器のリモコン受光部等において、安定的に一定範囲の受光範囲を確保すること及び受光素子の受光面に異物等が付着することによる受光感度の低下を防止することを低コストに実現することにある。
【課題を解決するための手段】
【０００９】
上記課題を達成するため、本発明の第１の態様は、筐体に設けられた受光窓に嵌合するカバー本体と、前記カバー本体の裏面に形成された位置決め凹部と、受光素子の受光面を前記位置決め凹部の内周面に押圧する押圧手段と、を備えた受光部カバーである。
【００１０】
受光カバーは、筐体内側に面するカバー本体の裏面に位置決め凹部が形成されており、押圧手段によって、受光素子の受光面がその位置決め凹部の内周面に押圧される。つまり、受光素子の受光面は、受光部カバーの位置決め凹部の内周面に常に内接した状態となる。したがって、位置決め凹部の内周面に受光素子の受光面が内接した状態で受光部カバーと受光素子の受光面との位置関係が一定の位置関係となるように、受光素子の受光面の形状に応じて位置決め凹部の内周面の形状を設定すれば、受光部カバーと受光素子の受光面との位置関係を常に一定に維持することが可能になる。また、受光部カバーは、カバー本体部分が筐体に設けられた受光窓に嵌合することによって、その受光窓に対して一定の位置で位置決めされた状態で筐体に配設されることになる。
【００１１】
すなわち、筐体の受光窓と受光素子の受光面との相対的な位置関係は、常に受光部カバーを介して一定の位置関係に維持されることになる。したがって、製造誤差等で筐体における受光窓の位置や受光素子の取付位置等にばらつきが生じても、受光素子の受光面は、筐体の受光窓に対して常に一定の位置になるように位置決めされることになる。それによって、受光窓に対する受光素子の受光面の位置が筐体の製造誤差等でばらついてしまうことを防止することができるので、筐体の製造誤差等に起因した受光範囲のばらつきを低減させることができる。
【００１２】
さらに、受光素子の受光面は、受光部カバーの位置決め凹部の内周面に内接した状態となるので、受光部カバーで略覆われた状態となる。それによって、受光素子の受光面は、少なくとも受光部カバーの位置決め凹部の内周面と接している部分には、通風孔等を通じて筐体内に入り込んだ埃や異物等、或いはインク等の筐体内の液体が一部気化したもの等が付着しない。また、少なくとも受光素子の受光面と受光部カバーの位置決め凹部の内周面とが接している部分においては、その異物等の進入を遮断することができる。したがって、受光素子の受光面に異物等が付着してしまう虞を低減させることができる。
【００１３】
そして、本発明の第１の態様に記載の受光部カバーは、受光部カバーだけで、筐体の受光窓と受光素子の受光面との相対的な位置関係を常に一定に維持することができる。したがって、筐体の製造誤差等に起因した受光範囲のばらつきを低減させることを極めて低コストに実現することができる。
【００１４】
これにより、本発明の第１の態様に記載の受光部カバーによれば、電子機器のリモコン受光部等において、安定的に一定範囲の受光範囲を確保すること及び受光素子の受光面に埃や異物等が付着することによる受光感度の低下を防止することを低コストに実現することができるという作用効果を得ることができる。
【００１５】
本発明の第２の態様は、前述した第１の態様に記載の受光部カバーにおいて、前記受光面は、略球面状の凸面であり、前記位置決め凹部の内周面は、前記受光面が内接可能な円錐面である、ことを特徴とした受光部カバーである。
【００１６】
このように、受光素子の受光面が略球面状の凸面である場合には、位置決め凹部の内周面を受光面が内接可能な円錐面とする。それによって、受光部カバーと受光素子の受光面との位置関係が常に一定に維持されるように、位置決め凹部の内周面に受光素子の受光面を内接させることができる。また、受光素子の受光面と位置決め凹部の内周面とは、周方向に略隙間無く接した状態となるので、受光素子の受光面と受光部カバーとの間に異物等が進入して受光素子の受光面に付着してしまう虞をより低減させることができる。
【００１７】
本発明の第３の態様は、受光素子と、前記受光素子の受光窓を有し、前記受光素子を内蔵する筐体と、前述した第１の態様又は第２の態様に記載された受光部カバーと、を備えた電子機器である。  
本発明の第３の態様に記載の電子機器によれば、リモコン受光部等を備えた電子機器において、前述した第１の態様又は第２の態様に記載の発明による作用効果を得ることができる。
【００１８】
本発明の第４の態様は、被記録材の記録面にインクを噴射して記録を実行する記録実行手段と、受光素子と、前記受光素子の受光窓を有し、前記記録実行手段及び前記受光素子を内蔵する筐体と、前述した第１の態様又は第２の態様に記載された受光部カバーと、を備えた記録装置である。  
本発明の第４の態様に記載の記録装置によれば、リモコン受光部等を備えた記録装置において、前述した第１の態様又は第２の態様に記載の発明による作用効果を得ることができる。
【００１９】
また、被記録材の記録面にインクを噴射して記録を実行する記録実行手段を備えた記録装置においては、被記録材に噴射されるインクの一部がミスト化して記録装置の筐体内部を浮遊する、いわゆるインクミストが発生する。そのため、このインクミストが筐体内の受光素子の受光面に付着すると、受光素子の受光感度が低下してしまう虞が生ずる。
【００２０】
前述した第１の態様又は第２の態様に記載された受光部カバーは、このようなインクミストが受光素子の受光面と受光部カバーとの間に進入する虞を低減させることができる。したがって、本発明の第４の態様に記載の記録装置によれば、被記録材の記録面にインクを噴射して記録を実行する記録実行を備えた記録装置において、筐体内に発生したインクミストが受光素子の受光面に付着することによる受光感度の低下を防止することができるという作用効果が得られる。
【発明を実施するための最良の形態】
【００２１】
以下、本発明の実施の形態を図面に基づいて説明する。
【００２２】
＜インクジェットプリンタ５０の概略構成＞
まず、本発明に係る「電子機器」及び「記録装置」としてのインクジェットプリンタ５０の概略構成について、図１〜図３を参照しながら説明する。  
図１は、排出用トレイ３を開いた状態のインクジェットプリンタ５０の外観斜視図である。図２は、インクジェットプリンタ５０の要部側断面図である。図３は、インクジェットプリンタ５０の一部を拡大図示した正面図である。
【００２３】
プリンタ本体１の上面には、各種操作ボタン類を有する操作パネル４が配設されている。また、プリンタ本体１の上面には、各種表示を行う液晶表示パネル１０が、符号Ｃで示した方向へ回動させて立位姿勢で使用可能に、回動軸１１で軸支されている。プリンタカバー５は、回動軸６がプリンタ本体１の軸受部に係合した状態で回動可能にプリンタ本体１に支持されている。インクジェットプリンタ５０は、使用しないときにプリンタカバー５を閉じた状態とすることによって、プリンタ本体１の上面に配設されている操作パネル４及び液晶表示パネル１０がプリンタカバー５で覆い隠されて保護される。プリンタ本体１には、インクジェットプリンタ５０を持ち運びするためのハンドル２０が回動可能に配設されている。
【００２４】
プリンタ本体１の前面には、記録実行後の記録紙Ｐが排出される排出口７が設けられており、その排出口７を開閉可能に排出用トレイ３が配設されている。排出用トレイ３は、回動可能にプリンタ本体１に軸支されている。インクジェットプリンタ５０を使用しないときには、排出用トレイ３を閉じた状態とすることによって、排出口７が排出用トレイ３で覆い隠された状態となる。また、インクジェットプリンタ５０を使用するときには、符号Ａで示した方向へ排出用トレイ３を回動させて開いた状態とすることによって、排出口７から排出される記録実行後の記録紙Ｐが排出用トレイ３に積重される。
【００２５】
インクジェットプリンタ５０は、記録紙Ｐに記録を実行する「記録実行手段」として、搬送駆動ローラ５１、搬送従動ローラ５２、プラテン５３、排出駆動ローラ５４、排出従動ローラ５５、キャリッジ６１及び記録ヘッド６２をプリンタ本体１内に備えている。また、インクジェットプリンタ５０は、「記録実行手段」へ向けて記録紙Ｐを一ずつ自動給送する自動給送装置を構成する載置部７１、エッジガイド７２、給送用ローラ７３及びリタードローラ７４を備えている。プリンタ本体１の上面には、記録紙Ｐを前記の自動給送装置で供給するための給送用開口部２が設けられている。符号Ｂで示した方向へ開いた状態のプリンタカバー５は、自動給送装置で給送する記録紙Ｐが載置される給送用トレイとして機能する。
【００２６】
載置部７１は、給送用開口部２に臨む位置に配設されている。公知のエッジガイド７２は、記録紙Ｐの幅方向（搬送方向ＹＰと交差する方向）へスライド可能に載置部７１に配設されており、記録紙Ｐのサイズに応じて記録紙Ｐの幅方向の載置位置を規定することができる。開いた状態のプリンタカバー５に載置された記録紙Ｐは、図示していないホッパにより給送用ローラ７３の外周面に押圧され、給送用ローラ７３の駆動回転により、搬送駆動ローラ５１へ向けて給送される。このとき、公知のリタードローラ７４の従動回転抵抗によって、最上位の記録紙Ｐから他の記録紙Ｐが分離され、記録紙Ｐの重送が防止される。
【００２７】
給送用ローラ７３の駆動回転により給送された記録紙Ｐは、搬送駆動ローラ５１と搬送従動ローラ５２とで挟持され、搬送駆動ローラ５１の駆動回転により搬送方向ＹＰへ所定の搬送量でプラテン５３上を搬送される。キャリッジ６１の底部には、記録紙Ｐの記録面にインクを噴射してドットを形成する記録ヘッド６２が配設されている。キャリッジ６１は、記録ヘッド６２のヘッド面とプラテン５３上の記録紙Ｐの記録面とが略平行で一定の間隔となる状態を維持しながら搬送方向ＹＰと略直交する方向へ往復動可能に支持されている。
【００２８】
プラテン５３上を搬送される記録紙Ｐは、キャリッジ６１が搬送方向ＹＰと略直交する方向へ往復動しながら記録ヘッド６２のヘッド面から記録紙Ｐの記録面へインクを噴射してドットを形成する動作と、搬送駆動ローラ５１の駆動回転により搬送方向ＹＰへ所定の搬送量で記録紙Ｐを搬送する動作とが交互に繰り返されることによって、記録面への記録が実行される。インク噴射後の記録紙Ｐは、排出駆動ローラ５４と排出従動ローラ５５とで挟持され、排出駆動ローラ５４の駆動回転により搬送方向ＹＰへ搬送される。記録実行後の記録紙Ｐは、排出口７から排出され、開いた状態の排出用トレイ３に積重される。
【００２９】
また、プリンタ本体１の下側には、ロアハウジング３０が一体的に設けられている。ロアハウジング３０には、公知のＤＶＤ（Digital Versatile Disc）ドライブ（図示せず）及びリモコン受光部８が設けられている。リモコン受光部８には、受光窓２１が形成されており、受光窓２１には、受光部カバー３１が配設されている（図３）。
【００３０】
＜受光部カバー３１の構成＞
つづいて、本発明に係る受光部カバー３１の構成について、図４〜図６を参照しながら説明する。
【００３１】
図４は、受光部カバー３１の背面図である。図５は、受光部カバー３１の側面図である。図６は、受光部カバー３１の平面図である。  
本発明に係る受光部カバー３１は、アクリル樹脂等で形成されており、略円板形状のカバー本体３１１及び「押圧手段」としての係止腕部３１５を備えている。カバー本体３１１には、鍔部３１２が設けられている。鍔部３１２の上部には、上係止部３１３が延設されている。鍔部３１２の下部には、下係止部３１４が延設されている。カバー本体３１１は、前面Ｆが平坦面となっており、鍔部３１２より前面Ｆ側の部分の外周面には、突条３１７が周方向へ略等間隔に３カ所形成されている。係止腕部３１５は、カバー本体３１１の裏面Ｒに突設されており、その先端部３１６が図示の如くＬ字状に形成されている。そして、カバー本体３１１の裏面Ｒの略中央には、位置決め凹部３１８が形成されている。
【００３２】
＜リモコン受光部８の構成＞
つづいて、リモコン受光部８の構成について、図７〜図９を参照しつつ説明する。
【００３３】
図７は、リモコン受光部８の要部を図示した正面図である。図８は、リモコン受光部８の要部を図示した側断面図である。図９は、リモコン受光部８の要部を図示した平面図である。  
尚、図７〜図９においては、インクジェットプリンタ５０を正面から観たときの左右方向を符号Ｘ（以下、「左右方向Ｘ」という。）、前後方向を符号Ｙ（以下、「前後方向Ｙ」という。）、上下方向を符号Ｚ（以下、「上下方向Ｚ」という。）で図示する。
【００３４】
受光部カバー３１は、カバー本体３１１が「筐体」としてのロアハウジング３０に設けられた受光窓２１（図７では図示省略）に嵌合する。受光窓２１は、円形孔である（図３）。受光部カバー３１は、カバー本体３１１の外周面に形成されている３カ所の突条３１７によって、カバー本体３１１の外周面と受光窓２１の内周面との間のガタ詰めがされる。それによって、受光部カバー３１は、受光窓２１に対して、左右方向Ｘ及び上下方向Ｚの位置決めがなされた状態で配設される。また、受光部カバー３１は、鍔部３１２がロアハウジング３０の内壁面に当接して、前後方向Ｙの位置決めがなされる。
【００３５】
そして、受光部カバー３１は、下係止部３１４がロアハウジング３０と底部４０とで挟持されるとともに、上係止部３１３がロアハウジング３０の一部（図示せず）と係合することによって、ロアハウジング３０に固定される。それによって、受光部カバー３１のカバー本体３１１の前面Ｆを押しても受光部カバー３１が受光窓２１から脱落しないようにすることができる。
【００３６】
このようにして、受光部カバー３１は、その受光窓２１に対して一定の位置で、左右方向Ｘ、前後方向Ｙ及び上下方向Ｚの位置決めがなされて固定された状態で、ロアハウジング３０に配設されることになる。
【００３７】
「受光素子」としての受光センサ４１は、受光部回路基板４３に実装されている。受光部回路基板４３は、「筐体」としてのロアハウジング３０の底部４０に配設されており、底部４０に設けられた基板支持部４４〜４６に支持されている。それによって、受光センサ４１の受光面４２がロアハウジング３０の受光窓２１に臨む位置に配設される。尚、受光部回路基板４３は、ロアハウジング３０に対して多少の遊びを有する状態で支持されるようにするのが好ましい。それによって、以下に説明する受光部カバー３１による受光センサ４１の受光面４２の位置決めをより確実に行うことが可能になる。
【００３８】
受光部カバー３１のカバー本体３１１の裏面Ｒに形成された位置決め凹部３１８の内周面は、図示の如く、受光センサ４１の受光面４２が内接可能な円錐面となっている。この位置決め凹部３１８は、カバー本体３１１が受光窓２１に嵌合した状態において円錐面の中心点が受光窓２１の中心点と略一致するように形成されている。また、受光センサ４１の受光面４２は、図示の如く略球面状の凸面となっている。そして、受光センサ４１は、係止腕部３１５の撓み変形の復帰力によって、係止腕部３１５のＬ字状の先端３１６で後側から位置決め凹部３１８へ向けて押圧される。
【００３９】
つまり、受光センサ４１の受光面４２は、受光部カバー３１の係止腕部３１５により、受光部カバー３１の位置決め凹部３１８の内周面に押圧される。それによって、受光センサ４１の受光面４２は、受光部カバー３１の位置決め凹部３１８の内周面に常に内接した状態となる。したがって、この状態において、受光部カバー３１と受光センサ４１の受光面４２との位置関係は、その位置決め凹部３１８の内周面によって、左右方向Ｘ、前後方向Ｙ及び上下方向Ｚにおいて一定の位置関係となる。特に、位置決め凹部３１８の内周面が円錐面であることで、左右方向Ｘ及び上下方向Ｚにおける受光窓２１と受光センサ４１の受光面４２との中心位置合わせが容易になる。
【００４０】
これによって、受光部カバー３１と受光センサ４１の受光面４２との位置関係は、左右方向Ｘ、前後方向Ｙ及び上下方向Ｚにおいて、常に一定に維持することが可能になる。また、前記の通り受光部カバー３１は、カバー本体３１１がロアハウジング３０の受光窓２１に嵌合することによって、その受光窓２１に対して一定の位置で、左右方向Ｘ、前後方向Ｙ及び上下方向Ｚの位置決めされて固定された状態で、ロアハウジング３０に配設される。すなわち、ロアハウジング３０の受光窓２１と受光センサ４１の受光面４２との相対的な位置関係は、受光部カバー３１だけで、常に一定の位置関係に維持されることになる。したがって、製造誤差等でロアハウジング３０における受光窓２１の形成位置や受光センサ４１の取付位置等にばらつきが生じても、受光センサ４１の受光面４２は、ロアハウジング３０の受光窓２１に対して常に一定の位置になるように位置決めされることになる。
【００４１】
より具体的には、受光センサ４１の受光面４２の中心点と受光窓２１の中心に位置するように、左右方向Ｘ及び上下方向Ｚにおける受光面４２の位置決めがなされる。同時に、受光センサ４１の受光面４２と受光窓２１との間隔が所定の間隔となるように、前後方向Ｙにおける受光面４２の位置決めがなされることになる。それによって、受光窓２１に対する受光センサ４１の受光面４２の位置がロアハウジング３０の製造誤差等でばらついてしまうことを防止することができるので、ロアハウジング３０の製造誤差等に起因した受光センサ４１の受光範囲のばらつきを低減させることができる。
【００４２】
また、インクジェットプリンタ５０においては、記録ヘッド６２から記録紙Ｐの記録面に噴射されるインクの一部がミスト化してプリンタ本体１内を浮遊する、いわゆるインクミストが発生する。このインクミストは、プリンタ本体１の一部を構成するロアハウジング３０内にも入り込む可能性があるため、受光センサ４１の受光面４２にインクミストが付着してしまうと受光センサ４１の受光感度が低下してしまう虞が生ずることになる。さらに、給送用開口部２や排出口７等を通じてプリンタ本体１やロアハウジング３０内に入り込んだ埃や異物等が受光センサ４１の受光面４２に付着して受光センサ４１の受光感度が低下してしまう虞も生ずる
本発明に係る受光部カバー３１において、受光センサ４１の受光面４２は、受光部カバー３１の位置決め凹部３１８の内周面に内接した状態となるので、受光部カバー３１で略覆われた状態となる。それによって、受光センサ４１の受光面４２は、少なくとも受光部カバー３１の位置決め凹部３１８の内周面と接している部分には、ロアハウジング３０に入り込んだ埃や異物、インクミスト等が付着しない。また、少なくとも受光センサ４１の受光面４２と受光部カバー３１の位置決め凹部３１８の内周面とが接している部分においては、その埃や異物、インクミスト等の進入を遮断することができる。したがって、受光センサ４１の受光面４２に埃や異物等が付着してしまう虞を低減させることができる。
【００４３】
特に、当該実施例においては、受光部カバー３１のカバー本体３１１の裏面Ｒに形成された位置決め凹部３１８の内周面は、図示の如く、受光センサ４１の受光面４２が内接可能な円錐面となっている。また、受光センサ４１の受光面４２は、図示の如く略球面状の凸面となっている。それによって、受光センサ４１の受光面４２と受光部カバー３１の位置決め凹部３１８の内周面とは、周方向に略隙間無く接した状態となる。したがって、受光センサ４１の受光面４２と受光部カバー３１との間に埃や異物等が進入して受光センサ４１の受光面４２に付着してしまう虞をより低減させることができる。
【００４４】
以上説明したように、本発明に係る受光部カバー３１によれば、電子機器等のリモコン受光部８等において、安定的に一定範囲の受光範囲を確保すること及び受光センサ４１の受光面４２に埃や異物等が付着することによる受光感度の低下を防止することを低コストに実現することができる。
【００４５】
尚、本発明は上記実施例に限定されることなく、特許請求の範囲に記載した発明の範囲内で、種々の変形が可能であり、それらも本発明の範囲内に含まれるものであることは言うまでもない。例えば、受光部カバー３１の位置決め凹部３１８の内周面形状は、内接した状態の受光センサ４１の受光面４２が一定の位置に位置決めされるように、その受光面４２の形状等に応じて設定すれば良く、どのような形状であっても差し支えない。この受光部カバー３１の位置決め凹部３１８の内周面形状は、好適な態様としては前記の円錐面が挙げられるが、例えば、受光センサ４１の受光面４２の形状に応じて楕円錐面としても良いし、正八角錐面等の角錘面としても良い。
【図面の簡単な説明】
【００４６】
【図１】インクジェットプリンタの外観斜視図。
【図２】インクジェットプリンタの要部側断面図。
【図３】インクジェットプリンタの一部を拡大図示した正面図。
【図４】本発明に係る受光部カバーの背面図。
【図５】本発明に係る受光部カバーの側面図。
【図６】本発明に係る受光部カバーの平面図。
【図７】リモコン受光部の要部を図示した正面図。
【図８】リモコン受光部の要部を図示した側断面図。
【図９】リモコン受光部の要部を図示した平面図。
【符号の説明】
【００４７】
１  プリンタ本体、８  リモコン受光部、３０  ロアハウジング、３１  受光部カバー、４１  受光センサ、４２  受光面、５０  インクジェットプリンタ、５１  搬送駆動ローラ、５２  搬送従動ローラ、５３  プラテン、５４  排出駆動ローラ、５５  排出従動ローラ、６１  キャリッジ、６２  記録ヘッド、３１１  カバー本体、３１５  係止腕部、３１８  位置決め凹部、Ｆ  カバー本体の表面、Ｐ  記録紙、Ｒ  カバー本体の裏面、Ｘ  左右方向、Ｙ  前後方向、Ｚ  上下方向、ＹＰ  記録紙の搬送方向、
【図１】
2009099795.tif 000003
【図２】
2009099795.tif 000004
【図３】
2009099795.tif 000005
【図４】
2009099795.tif 000006
【図５】
2009099795.tif 000007
【図６】
2009099795.tif 000008
【図７】
2009099795.tif 000009
【図８】
2009099795.tif 000010
【図９】
2009099795.tif 000011